(57)【要約】【課題】他の機器によって読み取られて情報処理が行われるコードシンボルに変換される電話番号情報や郵便番号情報を入力する際、操作者が分かりやすく入力ミスが生じにくい情報の形態で入力操作できると共に、その入力情報に基づいて印字媒体に形成されるコードシンボルを他の機器での情報処理に対応させたものにできる印字装置を提供する。【解決手段】数字情報に区切り情報が挿入された電話番号情報及び郵便番号情報を含む名刺情報が入力されると（ステップＳ２）、その名刺情報の文字情報による印字パターンデータを作成する（ステップＳ９）。一方、入力された名刺情報から区切り情報を除去し（ステップＳ１０）、その区切り情報を除去した名刺情報をＱＲコードシンボルのパターンデータに変換する（ステップＳ１１）。そして、ＱＲコードシンボルのパターンデータと文字情報による名刺情報の印字パターンデータとを印字する（ステップＳ１２）。【選択図】図４
2007260964.tif 000002
【特許請求の範囲】
【請求項１】
数字情報中に区切り情報を含む電話番号情報及び／又は郵便番号情報を入力する入力手段と、
前記入力手段から入力された前記電話番号情報及び／又は郵便番号情報に挿入された前記区切り情報を削除する処理手段と、
前記処理手段によって前記区切り情報が削除された前記電話番号情報及び／又は郵便番号情報を所定のコード情報に変換するコード変換手段と、
前記コード変換手段によって変換された前記コード情報に対応するコードシンボルを印字媒体に印字する印字手段と、
を備えることを特徴とする印字装置。
【請求項２】
前記印字手段は、前記コードシンボルと共に、前記入力手段から入力された前記電話番号情報及び／又は郵便番号情報に対応する区切り記号を含んだ数字からなる電話番号及び／又は郵便番号を印字媒体に印字することを特徴とする請求項１に記載の印字装置。
【請求項３】
前記印字手段は、電話番号及び／又は郵便番号の印字に付加して電話番号及び／又は郵便番号を表す文字や記号を印字することを特徴とする請求項２に記載の印字装置。
【請求項４】
前記区切り情報は、ハイフン又は括弧の記号情報であることを特徴とする請求項１ないし３の何れかに記載の印字装置。
【発明の詳細な説明】
【技術分野】
【０００１】
本発明は、電話番号情報及び／又は郵便番号情報をコード化したコード情報のコードシンボルを出力する印字装置に関する。
【背景技術】
【０００２】
ＱＲコードと呼ばれる２次元コードが広く用いられており、従来、２次元コードのシンボルを文字情報と共にシート上に印字する印字装置が提案されている（下記の特許文献１）。この印字装置では、住所、氏名、会社名、郵便番号、電話番号及び電子メールアドレスなどの名刺情報を文字情報として印字するとともに、その名刺情報を２次元コード情報に変換したコードシンボルを印字して名刺を作成するものである。
【特許文献１】特開２００３−１５４７７４号公報
【発明の開示】
【発明が解決しようとする課題】
【０００３】
上記印字装置のように、名刺情報を文字情報で印字するとともに、その名刺情報を２次元コードのコードシンボルで印字する場合、文字情報で印字する電話番号情報には、見易くするために電話番号を構成する市外局番、市内局番及び加入者番号の間にハイフンなどの区切り記号が挿入される。また、郵便番号についても同様に区切り記号が挿入される。一方、２次元コードのコードシンボルは、そのコードシンボルが携帯電話で読み取られ、そこに保持されている名刺情報に基づいて携帯電話内部の電話帳の作成に利用されることから、電話番号情報中に区切りの情報が混在していると、電話帳の作成或いは電話の発信に支障を来たすことになるため、その区切りの情報が取り除かれてコード化されている。
【０００４】
このようなことから、名刺情報の文字情報と名刺情報をコード化したコードシンボルとを共に印字する場合、名刺情報の文字情報での出力に対応して区切り情報を挿入して電話番号情報や郵便番号情報を入力する必要があり、また、名刺情報の２次元コードのコードシンボルでの出力に対応して区切り情報のない電話番号情報や郵便番号情報を入力する必要がある。
【０００５】
しかしながら、文字情報での出力に対応させて区切り情報を挿入して電話番号などの情報を入力する一方、コードシンボルでの出力に対応させて区切り情報を含まないで電話番号などの情報を入力しなければならないという面倒な入力作業を行う必要がある。
【０００６】
また、名刺情報をコード化した２次元コードのコードシンボルの印字シールを作成し印字済の名刺上に貼着して利用したいことがある。この場合には、区切り情報を含まない電話番号情報を入力する必要があるが、桁数の多い電話番号の番号数字を区切りなしで入力することは、入力作業がやりにくく入力ミスも生じ易くなる。また、郵便番号についても電話番号と同様の問題がある。
【０００７】
本発明は上記問題点を解決するものであり、他の機器によって読み取られて所定の情報処理が行われるコードシンボルのコード情報に変換される電話番号情報や郵便番号情報を入力する際に、操作者が分かりやすく入力ミスが生じにくい情報の形態で入力操作を行うことができるとともに、その入力された情報に基づいて印字媒体に形成されるコードシンボルを、他の機器での情報処理に対応させて他の機器で読取可能とするべく、その入力された情報に基づくコード情報の変換を可能にする印字装置を提供することを目的とする。
【課題を解決するための手段】
【０００８】
本発明の印字装置は、数字情報中に区切り情報を含む電話番号情報及び／又は郵便番号情報を入力する入力手段と、前記入力手段から入力された前記電話番号情報及び／又は郵便番号情報に挿入された前記区切り情報を削除する処理手段と、前記処理手段によって前記区切り情報が削除された前記電話番号情報及び／又は郵便番号情報を所定のコード情報に変換するコード変換手段と、前記コード変換手段によって変換された前記コード情報に対応するコードシンボルを印字媒体に印字する印字手段とを備えることを特徴とする。
【０００９】
前記印字装置において、前記印字手段は、前記コードシンボルと共に、前記入力手段から入力された前記電話番号情報及び／又は郵便番号情報に対応する区切り記号を含んだ数字からなる電話番号及び／又は郵便番号を印字媒体に印字することを特徴とする。
【００１０】
また、前記印字装置において、前記印字手段は、電話番号及び／又は郵便番号の印字に付加して電話番号及び／又は郵便番号を表す文字や記号を印字することを特徴とする。
【００１１】
また、前記印字装置において、前記区切り情報は、ハイフン又は括弧の記号情報であることを特徴とする。
【発明の効果】
【００１２】
本発明によれば、電話番号情報及び／又は郵便番号情報を入力する際に、数字情報中に区切り情報を含んだ形で入力作業を行うようにし、その入力された情報から区切り情報を削除して所定のコード情報に変換するものであるため、電話番号情報及び／又は郵便番号情報を入力する際に操作者が作業し易く入力ミスが生じにくく、しかもその入力された情報に基づいて他の機器での情報処理に対応させて他の機器で読取可能とするコードシンボルを印字媒体に形成することができる。
【００１３】
本発明によれば、電話番号情報及び／又は郵便番号情報を入力する際に、数字情報中に区切り情報を含んだ形で入力作業を行うようにしたため、電話番号情報及び／又は郵便番号情報を入力する際に操作者が作業し易く入力ミスが生じにくく、また、その入力された電話番号情報及び／又は郵便番号情報から区切り情報を削除して所定のコード情報に変換するものであるため、その入力された情報に基づいて他の機器での情報処理に対応させて他の機器で読取可能とするコードシンボルを印字媒体に形成することができる。
【発明を実施するための最良の形態】
【００１４】
以下、本発明の実施形態について図面を参照して説明する。図１は本発明の実施形態に係る印字装置の外観を示す平面図、図２はその印字装置に使用するテープカセットの外観及び印字装置の内部構造の一部を示す斜視図である。図１及び図２に示すように、印字装置１は、装置本体２の上面にキー入力部３、表示部４、および開閉蓋５を備えている。開閉蓋５の内側には印字テープ３１及びインクリボン３５を収容したテープカセット２１を装填するためのカセット装填部６が形成されており、テープカセット２１は開閉蓋５を開放した状態でカセット装填部６に着脱可能に装填される。
【００１５】
キー入力部３は、印字する文字列の情報を入力する文字キー、印字開始を指示する印字キー、表示部４の表示画面上のカーソルを移動操作するカーソルキー、入力された文字列の編集処理、各種設定処理、印字処理等に必要な種々の制御キーを備えている。
【００１６】
表示部４は液晶表示装置であり、入力された情報や各種設定のための選択メニュー画面や処理に関するメッセージなどが表示されると共に、作成されるラベルの長さや印字モードの状態などの各種の情報を表示する。
【００１７】
カセット装填部６内には、印字素子が縦方向に配列され印字テープ３１に印字する印字ヘッド（サーマルヘッド）７と、サーマルヘッド７との間で印字テープ３１及びインクリボン３５を挟んでこれを搬送するプラテンローラ８と、使用したインクリボン３５をテープカセット２１内に巻き取るリボン巻取軸９とを備え、更に、テープカセット２１を所定の位置に支持するためのカセット受部１０やテープカセット２１に嵌合して位置決めをする嵌合軸１１を備えている。また、カセット装填部６の一端部には装置本体２外に通じる排出口１２が形成されており、この排出口１２には、固定刃１３ａと可動刃１３ｂとを備え、印字テープ３１を切断するためのカッタ１３が設けられている。
【００１８】
一方、テープカセット２１は、上ケース２２ａと下ケース２２ｂを組み合わせて構成したカセットケース２２を備え、このカセットケース２２の内部には、印字テープ３１を巻回したテープコア２３、未使用のインクリボン３５を巻回したリボン供給コア２４、印字に使用済のインクリボン３５を巻き取るリボン巻取コア２５がそれぞれ収納されている。前記印字テープ３１は、印字が行われる印字テープ層と貼着剤層と剥離テープ層の積層構造を有している。このテープカセット２１のカセットケース２２には、カセット装填部６内にテープカセット２１を装填したときにサーマルヘッド７が配置されるヘッド配置部２７が形成されており、また、カセットケース２２の隅部には、カセット装填部６のカセット受部１０に係合してそれに支持される被係合部２９が形成されている。
【００１９】
この印字装置１では、テープカセット２１をカセット装填部６に装填して印字開始の指示をすると、印字テープ３１とインクリボン３５とがテープカセット２１から引き出され、重ね合わせた状態でプラテンローラ８とサーマルヘッド７の間に挟まれて共に搬送されると共に、サーマルヘッド７がキー入力部３から入力された印字情報に基づいて発熱駆動されてインクリボン３５のインクが印字テープ３１に熱転写されて印字が行われる。印字が終了すると、カッタ１３が作動して印字テープが切断されラベルが作成される。
【００２０】
図３は印字装置の電子回路の構成を示すブロック図である。同図に示すように、この印字装置１の電子回路には、ＣＰＵからなる制御部５０が備えられ、制御部５０は、キー入力部３からのキー操作信号に応じてＲＯＭ５１に予め記憶されているシステムプログラムを起動させ、ＲＡＭ５２をワークメモリとして回路各部の動作を制御するもので、この制御部５０には、前記キー入力部３、ＲＯＭ５１、ＲＡＭ５２が接続される他、表示用の文字フォントを格納する表示用フォントＲＯＭ５３、印字用の文字フォントを格納する印字用フォントＲＯＭ５４、サーマルヘッド７を印字情報に応じて発熱駆動する駆動回路５５、プラテンローラ８及びリボン巻取軸９を駆動するためのステップモータからなる搬送モータ５６の駆動回路５７、カッタ１３を駆動するためのカッタモータ５８の駆動回路５９が接続され、また入力された文字情報などを表示するための表示部４が接続される。
【００２１】
ＲＯＭ５１には、キー入力部２から入力された情報を２次元コードのパターン情報に変換するプログラム、２次元コードや文字情報のパターン情報を印字するためのプログラムが記憶されている。また、ＲＡＭ５２には、キー入力された文字情報を記憶する入力情報メモリ、入力された文字情報や作成された２次元コードのパターン情報に展開されて記憶される印字情報メモリ、表示部４に表示されるパターン情報が記憶される表示情報メモリの各領域が確保され、印字処理などに必要な情報を一時的に記憶するレジスタやカウンタが設けられている。
【００２２】
次に、図４のフローチャートに基づいて、印字装置の印字処理を説明する。操作者によって名刺情報を印字する印字モードの設定が行われると、その印字モードによる印字処理がスタートする。まず、表示部４に印字フォーマットの設定画面が表示され、操作者によって印字フォーマットの設定が行われる。ここでは、氏名や住所や電話番号、或いは電子メールアドレスなどを含んだ名刺情報を文字情報で印字すると共に、その名刺情報をコード化した２次元コードのコードシンボルを印字するか、或いは名刺情報をコード化した２次元コードのコードシンボルだけを印字するかが選択的に設定できる。２次元コードとしてはＱＲコードが使用される（ステップＳ１）。
【００２３】
次に、操作者によって印字する名刺情報の入力が行われる。その名刺情報は、氏名、氏名のヨミガナ、電話番号、電子メールアドレスで構成される。或いは、氏名、郵便番号、住所、電話番号、電子メールアドレスで構成してもよい。図５（ａ）は名刺情報の入力画面を示しており、入力画面１００には、氏名、ヨミガナ、電話番号、電子メールアドレスの各入力項目欄１０１が表示され、その入力項目欄１０１に対応して入力欄１０２が表示され、その入力欄１０２に操作者が名刺情報を入力するようになっている。また、図５（ｂ）は他の名刺情報の入力画面の例を示しており、入力画面１００には、氏名、郵便番号、住所、電話番号、電子メールアドレスの各入力項目欄１０１が表示され、その入力項目欄１０１に対応して入力欄１０２が表示され、その入力欄１０２に操作者が名刺情報を入力するようになっている。この図５（ａ）又は図５（ｂ）のいずれかの入力画面に基づいて名刺情報の入力が行われる。この名刺情報の入力では、操作者が入力しやすく入力ミスが生じにくいように、電話番号情報や郵便番号情報の数字中には所定の桁数で区切る区切り記号のハイフンを挿入して情報の入力を行うようになっている。なお、電話番号の区切り記号は括弧記号でもよい（ステップＳ２）。
【００２４】
名刺情報の入力が完了すると、操作者によって印字開始の指示が行われる（ステップＳ３）。この印字開始の指示があると、印字フォーマットの設定が２次元コード、すなわちＱＲコードのみの印字であるか否かが判断され（ステップＳ４）、設定された印字フォーマットがＱＲコードのみを印字するものであると判断されると（ステップＳ４のＹＥＳ）、電話番号情報や郵便番号情報の数字情報中に含まれている区切り記号のハイフンを除去する処理が行なわれる（ステップＳ５）。
【００２５】
そして、区切り記号の除去処理の後、名刺情報を構成する、氏名、ヨミガナ、電話番号、電子メールアドレス、郵便番号、住所などの各情報にそれぞれ識別情報が付加されて、ＱＲコードのシンボルのパターン情報に変換される。例えば、携帯電話でＱＲコードのシンボルを読み取って携帯電話中に電話帳を作成する際に、名刺情報の氏名、ヨミガナ、電話番号、電子メールアドレス、郵便番号、住所などの各情報項目を電話帳データに取り込めるように、各情報項目にその情報項目を他の情報項目と識別するための識別情報が付加された上で、ＱＲコードにコード化されてＱＲコードのシンボルのパターンデータに変換される（ステップＳ６）。
【００２６】
名刺情報がＱＲコードのシンボルのパターンデータに変換されると、そのパターンデータに基づいてサーマルヘッド７が駆動されて印字テープ３１に印字が行われる（ステップＳ７）。印字が終了すると、カッタ１３が駆動されて印字された部分がラベルとして切り離される。図６（ａ）はこの印字処理で作成されたラベルＬを示しており、名刺情報を保持するＱＲコードのコードシンボルＱだけが印字された場合の印字例である（ステップＳ８）。
【００２７】
一方、印字フォーマットの設定がＱＲコードのみの印字ではないと判断されると（ステップＳ４のＮＯ）、ステップＳ２で入力された電話番号情報や郵便番号情報を含む名刺情報の各文字情報の印字パターンデータが作成される。この名刺情報の文字情報には、その電話番号情報や郵便番号情報に区切り記号のハイフンが挿入されており、この区切り記号が挿入された電話番号情報や郵便番号情報の印字パターンデータが作成される。また、電話番号、郵便番号、電話番号、電子メールアドレスの各文字情報には、それぞれその先頭位置に、「ＴＥＬ」、「郵便番号マーク」、「Ｅ―ｍａｌ」などの文字や記号の付加情報が付されて印字パターンデータに展開される（ステップＳ９）。
【００２８】
次に、ステップＳ２で入力された名刺の文字情報の電話番号情報や郵便番号情報から区切り記号のハイフンが除去される（ステップＳ１０）。
【００２９】
次に、区切り記号の除去処理の後、ステップＳ６と同様に、名刺情報を構成する氏名、ヨミガナ、電話番号、電子メールアドレス、郵便番号、住所などの各情報にそれぞれ識別情報が付加されＱＲコードにコード化されてＱＲコードのシンボルのパターンデータに変換される。（ステップＳ１１）。
【００３０】
そして、ステップＳ１１で作成された名刺情報がコード化されたＱＲコードのシンボルのパターンデータ及びステップＳ９で作成された名刺の文字情報の印字パターンデータに基づいてサーマルヘッド７が駆動されて印字テープ３１に印字が行われる（ステップＳ１２）。印字が終了すると、カッタ１３が駆動されて印字された部分がラベルとして切り離される（ステップＳ８）。図６（ｂ），（ｃ）はこの印字処理で作成されたラベルＬを示しており、名刺の文字情報Ｍとその情報を保持するＱＲコードのコードシンボルＱの印字例である。
【００３１】
以上述べたように、本実施の形態の印字装置によれば、キー入力部３から数字情報に区切り情報を挿入して電話番号情報及び郵便番号情報を入力するため、電話番号情報や郵便番号情報を入力する際に、操作者が分かりやすく入力ミスが生じにくい情報の形態で入力操作でき、また、入力された名刺情報の電話番号情報及び郵便番号情報から区切り情報を除去し、その区切り情報を除去した名刺情報をＱＲコードシンボルのパターンデータに変換して印字出力するようにするため、他の機器での情報の処理に対応した形態で出力することができ、携帯電話などの他の機器では、そのコードシンボルを読み取ってそのコードシンボルに保持される情報を機器内に取り込んで情報処理を行うことができる。
【図面の簡単な説明】
【００３２】
【図１】本発明の実施形態に係る印字装置の平面図。
【図２】その印字装置の要部及びテープカセットの斜視図。
【図３】その印字装置の電子回路のブロック図。
【図４】その印字装置の印字処理のフローチャート。
【図５】入力画面の説明図。
【図６】印字例の説明図。
【符号の説明】
【００３３】
１…印字装置
２…装置本体
３…キー入力部
４…表示部
６…プラテンローラ
７…サーマルヘッド
１３…カッタ
２１…テープカセット
３１…印字テープ
５０…制御部（ＣＰＵ）
５１…ＲＯＭ
５２…ＲＡＭ
Ｌ…ラベル
Ｍ…文字情報
Ｑ…ＱＲコードのコードシンボル
【図１】
2007260964.tif 000003
【図２】
2007260964.tif 000004
【図３】
2007260964.tif 000005
【図４】
2007260964.tif 000006
【図５】
2007260964.tif 000007
【図６】
2007260964.tif 000008